(57)【要約】【課題】完成後のコンクリート構造物の表面に模様を付すことができて、そのための施工が非常に簡単に行える仕上げシート、及び仕上げ工法を提供すること。【解決手段】コンクリート構造物に一体化される母材シート１１と、この母材シート１１のコンクリート構造物とは反対側に設けた仕上げ材１２とにより構成したこと。【選択図】図４
2014200986.tif 000002
【特許請求の範囲】
【請求項１】
型枠内に生コンクリートを打設して形成されるコンクリート構造物に一体化されて、このコンクリート構造物の表面仕上げを行う仕上げシートであって、
前記コンクリート構造物に一体化される母材シートと、この母材シートの前記コンクリート構造物とは反対側に設けた仕上げ材とにより構成したことを特徴とする仕上げシート。
【請求項２】
前記母材シートは、不織布であることを特徴とする請求項１に記載の仕上げシート。
【請求項３】
前記仕上げ材は、前記母材シートに塗布、吹き付けまたは貼り付けによって設けたものであることを特徴とする請求項１または請求項２に記載の仕上げシート。
【請求項４】
前記仕上げ材は、シート状に形成したものであることを特徴とする請求項１または請求項２に記載の仕上げシート。
【請求項５】
前記母材シートには、前記仕上げ材が存在しない部分を形成したものであることを特徴とする請求項１〜請求項４のいずれかに記載の仕上げシート。
【請求項６】
前記母材シートの、前記仕上げ材が存在しない部分に目印を形成したことを特徴とする請求項５に記載の仕上げシート。
【請求項７】
保護フィルムを前記母材シートに取り付けたことを特徴とする請求項１〜請求項６のいずれかに記載の仕上げシート。
【請求項８】
保護フィルムを前記仕上げ材に取り付けて、これを保護するようにしたことを特徴とする請求項１〜請求項６のいずれかに記載の仕上げシート。
【請求項９】
前記保護フィルムの取り付けは、前記仕上げシートに対して保護フィルムの一部を食い込ませることにより行うようにしたことを特徴とする請求項７または請求項８に記載の仕上げシート。
【請求項１０】
前記保護フィルムの取り付けは、この保護フィルムの一部と仕上げシートとの間の両面接着テープによって行うようにしたことを特徴とする請求項７または請求項８に記載の仕上げシート。
【請求項１１】
前記保護フィルムの取り付けは、接着材によって行うようにしたことを特徴とする請求項７または請求項８に記載の仕上げシート。
【請求項１２】
前記母材シートまたは仕上げ材の両方、または何れか一方に、防蟻剤または防虫剤の両方、または何れか一方を塗布または含浸させたことを特徴とする請求項１〜請求項１１のいずれかに記載の仕上げシート。
【請求項１３】
端部に両面接着テープ仕上げシートを取り付けて、他の仕上げシートに繋げるようにしたことを特徴とする請求項１〜請求項１２のいずれかに記載の仕上げシート。
【請求項１４】
ロール状に巻いたことを特徴とする請求項１〜請求項１３のいずれかに記載の仕上げシート。
【請求項１５】
請求項１〜請求項１４のいずれかに記載の仕上げシートを使用して、型枠内に生コンクリートを打設して形成されるコンクリート構造物の表面仕上げを、次の工程を含んで行う仕上げ工法。
（１）施工場所に、前記コンクリート構造物のための型枠を組立てる工程；
（２）前記コンクリート構造物の外面を形成する前記型枠の内面に、前記仕上げ材が外面側になるようにしながら前記仕上げシートを配置する工程；
（３）前記型枠内に前記生コンクリートを打設する工程：
（４）前記生コンクリートが固化した後に前記型枠を外して、コンクリート構造物３０に一体化された前記仕上げシートの前記仕上げ材を露出させる工程。
【請求項１６】
前記工程（２）における仕上げシートを、前記工程（４）の後に、前記コンクリート構造物の上端から突出した部分を切り落とすことを特徴とする請求項１５に記載の仕上げ工法。
【発明の詳細な説明】
【技術分野】
【０００１】
本発明は、コンクリート構造物の表面仕上げを行う仕上げシート、及びこれを使用した仕上げ工法に関するものである。
【背景技術】
【０００２】
コンクリート構造物の表面は、所謂「打ち放し」のままであっても十分美しい場合があるが、それでも、コンクリート構造物の表面に塗装を施したり、タイルを貼ったり、あるいは「賦形」を行ったりして、コンクリート構造物の表面を美しく仕上げることも多い。
【０００３】
さらには、特許文献１にて示されているような「大規模な建築物の場合には、予め工場で内外装の仕上げをした大型のプレキャストコンクリートパネルを作成し、それを建築現場に持ち込んで内外壁に施工すること」も行われており、また、特許文献２にて示されているように、「安価で、低温下においても柔軟性を有し、耐水性能、物理性能に優れ、且つ施工性が良好な景観要素を有する模様を付加させるフレキシブルな化粧シート」をコンクリート構造物に貼り付けることもなされている。
【先行技術文献】
【特許文献】
【０００４】
【特許文献１】特開平７−４７６２９号公報、要約、代表図
【特許文献２】特開２０００−１７７０４１号公報、要約、代表図
【発明の概要】
【発明が解決しようとする課題】
【０００５】
特許文献１には、「建築工作物に用いるプレキャストコンクリートパネルの表面化粧材として用いられる建築構造物用化粧シート」、及び図６に示すような「建築構造物用化粧シートを連続的に製造するための製造装置」が提案されており、この特許文献１に記載されている「建築構造物用化粧シート」は次のようなものであるとされている。
【０００６】
この特許文献１に記載されている「建築構造物用化粧シート」は、建築構造物用化粧シートの表面材である発泡樹脂シートと、該発泡樹脂シートに塗布される接着剤と、無機質骨材と、塗布される裏打ち材とからなっている。
【０００７】
そして、上記各材料については、次のような説明がなされている。
・表面材である発泡樹脂シート；
厚さが0.５コンクリート構造物コンクリート構造物〜５コンクリート構造物コンクリート構造物程度のポリエチレンテレフタレート、ポリアミド、ポリカーボネートなどの発泡シート
・化粧の目的で設けられる無機質骨材；
天然石やセラミクスの粉砕品が適しており、その際に異なった粒度のものを複数組用意して、粒度に大きいものから順に散布していくことはより自然な石目模様などを得ることができる
・裏打ち材；
打ち込まれるコンクリートとの接着性を向上させるとともに補強の目的から積層するものであり、弾性タイプのモルタルは特に好適である
・裏打ち材上に散布する無機質骨材；
コンクリートとの接着性をさらに向上させる目的で散布するものであり、特に天然石の粉砕物であることが好ましい
・接着剤；
表面材である発泡樹脂シートの材料や厚み、及び裏打ち材の材料や厚みなどにより適宜選択して用いられるが、アクリル系、ポリエステル系、エポキシ系、ウレタン系、フッ素樹脂系などの接着剤であってよく、また水溶性のものは発泡樹脂シートを変質させないことから好ましい。特に発泡樹脂シートとしてポリエチレンテレフタレート樹脂発泡シートを用い、裏打ち材の材料として弾性タイプのモルタルを用いた場合に、ソープフリー型水溶性アクリル樹脂を用いることにより良好な接着性と剥離性とを同時に満足する化粧シートを得ることができる
【０００８】
ところで、この特許文献１に記載されている「建築構造物用化粧シート」は、「建築工作物に用いるプレキャストコンクリートパネルの表面化粧材として用いられる」ものであるから、「プレキャストコンクリートパネル」を製造する際に使用されるものであり、型枠を用いてコンクリート構造物を現場打ちするには適していないものである。
【０００９】
一方、特許文献２には、「低温下においても耐水性能、物理性能に優れ、且つ施工性が良好な景観要素を有する模様を付加させるフレキシブルな化粧シートを提供する」ことを目的とした「フレキシブルシ―ト」が提案されている。
【００１０】
この特許文献２にて提案されている「フレキシブルシート」は、図７にも示すように、
「既設コンクリート表面に景観要素を有する模様を付加させる化粧材であって、模様材２、ベース材３で構成され、この内、模様材を構成するバインダー樹脂エマルジョンのガラス転移点が１０℃以下であり、ベース材に使用される樹脂セメントモルタルに供される混和用エマルジョン樹脂のガラス転移転が−１０℃以下であって、且つセメント配合量が樹脂固形分の１０〜１２０重量部、骨材配合量が１００〜６００重量部である。必要に応じて前記樹脂セメントモルタル材に合成樹脂又は無機質繊維で構成される補強材を添装する。型枠から脱型されたシート状物の模様材表面に、そのまま又は顔料による着色層を設けた後トップコートを塗装する」
ものであり、ベース材に使用される樹脂セメントモルタルや、これに１００〜６００重量部も配合される骨材を有している。
【００１１】
つまり、この特許文献２にて提案されている「フレキシブルシート」は、「既設コンクリート表面に景観要素を有する模様を付加させる化粧材」となっているため、型枠を用いてコンクリート構造物を現場打ちするには適していないものである。
【００１２】
そこで、本発明者等は、型枠を用いてコンクリート構造物を現場打ちする際に施工することができて、完成後のコンクリート構造物の表面に模様を付すことができるようにするにはどうしたらよいか、について種々検討を重ねてきた結果、本発明を完成したのである。
【００１３】
すなわち、本発明の目的とするところは、完成後のコンクリート構造物の表面に模様を付すことができて、そのための施工が非常に簡単に行える仕上げシート、及び仕上げ工法を提供することにある。
【課題を解決するための手段】
【００１４】
以上の課題を解決するために、まず、請求項１に係る発明の採った手段は、後述する実施形態の説明中で使用する符号を付して説明すると、
「型枠２０内に生コンクリート３０ａを打設して形成されるコンクリート構造物３０に一体化されて、このコンクリート構造物３０の表面仕上げを行う仕上げシート１０であって、
コンクリート構造物３０に一体化される母材シート１１と、この母材シート１１のコンクリート構造物３０とは反対側に設けた仕上げ材１２とにより構成したことを特徴とする仕上げシート１０」
である。
【００１５】
この請求項１に係る仕上げシート１０は、請求項１５に係る仕上げ工法、すなわち、
「請求項１〜請求項１４のいずれかに記載の仕上げシート１０を使用して、型枠２０内に生コンクリート３０ａを打設して形成されるコンクリート構造物３０の表面仕上げを、次の工程を含んで行う仕上げ工法。
（１）施工場所に、前記コンクリート構造物３０のための型枠２０を組立てる工程；
（２）前記コンクリート構造物３０の外面を形成する前記型枠２０の内面に、前記仕上げ材１１が外面側になるようにしながら前記仕上げシート１０を配置する工程；
（３）前記型枠２０内に前記生コンクリート３０ａを打設する工程：
（４）前記生コンクリート３０ａが固化した後に前記型枠２０を外して、コンクリート構造物３０に一体化された前記仕上げシート１０の前記仕上げ材１１を露出させる工程。」
によって、型枠２０内に生コンクリート３０ａを打設して形成されるコンクリート構造物３０の表面仕上げを行うものであり、生コンクリート３０ａを現場打ちする前に型枠２０に取り付けられるものである。
【００１６】
この仕上げシート１０を構成している母材シート１１は、コンクリート構造物を構築するための生コンクリート３０ａが硬化する際に、この生コンクリート３０ａと一体化されることになるものであり、ポリエチレンテレフタレート、プロプロピレン等からなる合成樹脂繊維を使用した布、不織布、網状物、あるいはシート状物であることが好ましい。
【００１７】
特に、この母材シート１１を「不織布」とした場合には、これを構成している繊維が生コンクリート３０ａと絡み易くなるから、生コンクリート３０ａが固化してコンクリート構造物となったときに、このコンクリート構造物との一体化が確実になされることになり、当該仕上げシート１０をコンクリート構造物の恒久的な表面仕上げ材とし得るのである。
【００１８】
この仕上げシート１０を構成している仕上げ材１２は、文字通り、コンクリート構造物の表面仕上げを直接的に行う模様や彩色等を施したものであり、上述した母材シート１１の表面に一体化できるのであれば何であってもよい。その意味では、この仕上げ材１２は、所定の着色を施した合成樹脂製の塗料単独であってもよいし、この塗料に砂や粉砕した石（骨材）を混ぜたものであってもよい。
【００１９】
また、この仕上げ材１２としては、上述した母材シート１１に「吹き付け」や「塗布」によって一体化できるものや、「貼り付け」によって母材シート１１に一体化できる「シート状物」であるのが好ましい。この結果、この仕上げ材１２は、上記特許文献１や２における「タイル」や「骨材」のような厚さや重さを有さない、母材シート１１の表面に薄い状態で存在するものであり、図１〜図３に示す型枠２０への施工時にも、図４に示す保管時にも、母材シート１１と共に可撓性を有したものである。
【００２０】
要するに、この仕上げ材１２は、コンクリート構造物の表面仕上げを直接的に行うものであり、コンクリート構造物の表面に一体化される母材シート１１に対して一体化されて母材シート１１と共に可撓性を有し、仕上げシート１０全体の可撓性を確保するものである。
【００２１】
この仕上げ材１２の母材シート１１に対する一体化は、図４に示すように、母材シート１１に当該仕上げ材１２が存在しない部分１１ａが形成できるように行われる必要がある。何故なら、母材シート１１の仕上げ材１２が存在しない部分１１ａは、図１〜図３に示すように、当該仕上げシート１０を型枠２０に取り付けるために必要な部分であり、この部分１１ａには仕上げ材１２を形成しておく必要がないからである。
【００２２】
この仕上げ材１２が存在しない部分１１ａには、図４に示すように、目印１３を形成しておくとよい。この目印１３によって、当該仕上げシート１０の型枠２０に対する取り付け位置の良否判断が行えるだけでなく、この仕上げシート１０に次の仕上げシート１０を繋ぐ場合の目安とすることができるからである。
【００２３】
さらに、これらの母材シート１１及び仕上げ材１２からなる仕上げシート１０は、その母材シート１１または仕上げ材１２の両方、または何れか一方に、防蟻剤または防虫剤の両方、または何れか一方を塗布または含浸させておくとよい。これらの防蟻剤または防虫剤は、当該仕上げシート１０が施工されたコンクリート構造物の内側または上側に、シロアリ等の害虫が侵入するのを防止するものであるから、当該仕上げシート１０自身がこのような防蟻剤または防虫剤を備えていれば、コンクリート構造物完成後にこれらの防蟻剤または防虫剤の散布を改めて行う必要はない。
【００２４】
そして、この仕上げシート１０は、図４にも示すように、所定幅の長尺なものとして裁断され、ロール状に巻いた状態で工場から出荷される。この場合の「所定幅」とは、例えばコンクリート構造物が家屋の基礎である場合に、この基礎の高さに該当し、「長尺」とは、この基礎の長さ方向に長くなっていることを意味する。勿論、この仕上げシート１０の長尺方向の長さが基礎の長さより短い場合には、他の仕上げシート１０を繋いで使用されるが、その場合には、その繋ぎ作業を簡単にするために、当外仕上げシート１０の端部に両面接着テープ１５ｂが取り付けておかれる。
【００２５】
また、この仕上げシート１０の母材シート１１または仕上げ材１２に対しては、図４にも示すように、保護フィルム１４を取り付けることにより、特に、その仕上げ材１２の表面の保護がなされる。この保護フィルム１４の仕上げシート１０に対する取付は、この保護フィルム１４が仕上げ材１２を保護するためだけに使用されること、当該仕上げシート１０の施工時には簡単に剥がされるものである必要があること、仕上げシート１０のコストを増大させないこと等、を考慮して、図５に示すようにしてなされる。
【００２６】
図５の（ａ）には、保護フィルム１４の取り付けを、仕上げシート１０に対して保護フィルム１４の一部を食い込ませることにより行う例が示してある。この保護フィルム１４の一部を仕上げシート１０に食い込ませる方法は、例えば当該保護フィルム１４と仕上げシート１０とを別々にロール巻きしておいて、押し込み刃を外周に多数有する歯車のような刃体の下側に同時に送り込むことにより、機械的かつ物理的に実施できるものであり、接着剤のようなものを必要としないものである。勿論、このように食い込ませた保護フィルム１４は、食い込んでいない部分から引き剥がせば、その全体の引き剥がしが行えるものである。
【００２７】
図５の（ｂ）には、保護フィルム１４の取り付けを、保護フィルム１４の一部と仕上げシート１０との間の両面接着テープ１５ａによって行うようにした例が示してある。この両面接着テープ１５ａは、母材シート１１の、仕上げ材１２が存在しない部分１１ａに接着しておき、この母材シート１１に保護フィルム１４を貼るときに使用される。
【００２８】
図５の（ｃ）には、保護フィルム１４の取り付けを、接着材によって行う例が示してあるが、この場合の接着剤は、仕上げシート１０上に順次送り込まれる保護フィルム１４側に塗布されるものである。勿論、接着剤であるから、これを仕上げシート１０側に塗布しておき、これに保護フィルム１４を接着するようにしてもよいことは言うまでもない。
【００２９】
図５の（ｂ）に示した両面接着テープ１５ａや、図５の（ｃ）に例示した接着剤は、仕上げシート１０自体に傷を付けないという意味では有効である。勿論、これらの両面接着テープ１５ａや接着剤は、仕上げシート１０の一部に使用すれば十分であり、保護フィルム１４の引き剥がしの際にその作業を邪魔するものではない。
【００３０】
以上のような母材シート１１に仕上げ材１２を一体化して構成した本発明に係る仕上げシート１０は、図１〜図３に示すように、施工場所に組立てられた型枠２０に取り付けられる。この場合、当該仕上げシート１０は、コンクリート構造物の外側面を形成する型枠２０の内面に取り付けられるのであり、仕上げ材１２は、当該型枠２０の内面に当接する状態とされる。
【００３１】
また、この仕上げシート１０は、通常は長尺のものであり、例えば図４に示すようなロール状に巻いて用意され、施工現場に搬入されるが、それだと施工現場において一々切断しなければならないから、所定長さに切り揃えて複数用意するようにしてもよい。この場合、この仕上げシート１０は、型枠２０への取付代を確保するために、コンクリート構造物３０の高さよりも長く切断しておいたものであり、これを横方向に複数連結することにより、型枠２０内面全体への設置がなされる。
【００３２】
勿論、この仕上げシート１０の型枠２０に対する取付に際して、この型枠２０に対する位置決めのために、上述した目印１３が利用されることは当然として、一巻きの仕上げシート１０ではコンクリート構造物の長さに適用できない場合、最初の仕上げシート１０の端部に両面接着テープ１５仕上げシート１０を取り付けておき、この両面接着テープ１５ｂを利用して次の仕上げシート１０に繋げるようにされる。
【００３３】
なお、この仕上げシート１０の型枠２０に対する取付に際して、仕上げシート１０が保護フィルム１４によって保護されている場合は、この保護フィルム１４が剥がされることは言うまでもない。また、仕上げシート１０の型枠２０に対する固定は、上述した両面接着テープ１５ａのような両面接着テープや、出願人が特願２０１１−１４５６９６で既に提案しているような「シート押え具」によってなされ、型枠２０が金属製のものであれば、「磁石」を使用した固定具によってなされる。
【００３４】
そして、図３に示したように設置された型枠２０内に生コンクリート３０ａを打設して、この生コンクリート３０ａが固化した後に型枠２０を外せば、コンクリート構造物３０に一体化された仕上げシート１０の仕上げ材１１が外方に向けて露出されるのである。
【００３５】
この場合、仕上げシート１０が、コンクリート構造物３０の高さよりも長いものであれば、コンクリート構造物３０の上端から突出した部分を切り落とすことは、言うまでもない。
【００３６】
従って、本発明に係る仕上げシート１０は、完成後のコンクリート構造物３０の表面に仕上げ材１２による模様を付すことができて、そのための施工が非常に簡単に行えるものとなっているのである。
【００３７】
また、本発明に係る仕上げ工法によれば、完成後のコンクリート構造物３０の表面に模様を付すことができて、そのための施工も非常に簡単に行えるのである。
【発明の効果】
【００３８】
以上説明した通り、本発明においては、
「型枠２０内に生コンクリート３０ａを打設して形成されるコンクリート構造物３０に一体化されて、このコンクリート構造物３０の表面仕上げを行う仕上げシート１０であって、
前記コンクリート構造物に一体化される母材シート１１と、この母材シート１１の前記コンクリート構造物とは反対側に設けた仕上げ材１２とにより構成したこと」
あるいは、
「前記仕上げシート１０を使用して、型枠２０内に生コンクリート３０ａを打設して形成されるコンクリート構造物３０の表面仕上げを、次の工程を含んで行う仕上げ工法。
（１）施工場所に、前記コンクリート構造物３０のための型枠２０を組立てる工程；
（２）前記コンクリート構造物３０の外面を形成する前記型枠２０の内面に、前記仕上げ材１１が外面側になるようにしながら前記仕上げシート１０を配置する工程；
（３）前記型枠２０内に前記生コンクリート３０ａを打設する工程：
（４）前記生コンクリート３０ａが固化した後に前記型枠２０を外して、コンクリート構造物３０に一体化された前記仕上げシート１０の前記仕上げ材１１を露出させる工程。」
にその構成上の主たる特徴があり、これにより、完成後のコンクリート構造物３０の表面に仕上げ材１２からなる模様を付すことができて、そのための施工が非常に簡単に行える仕上げシート、及び仕上げ工法を提供することができるのである。
【図面の簡単な説明】
【００３９】
【図１】本発明に係る仕上げシート１０を設置された型枠２０に取り付けている様子を示す斜視図である。
【図２】同仕上げシート１０の、型枠２０に対する繋ぎ施工を行っている様子を示す斜視図である。
【図３】同仕上げシート１０を型枠２０に固定したときの断面図である。
【図４】ロール状に巻いてあった同仕上げシート１０を少し展開したときの斜視図である。
【図５】図４中の１−１線に沿ってみた拡大部分断面図であり、（ａ）は保護フィルム１４の一部を仕上げシート１０に食い込ませたときの断面図、（ｂ）は仕上げシート１０と保護フィルム１４とを両面接着テープ１５ａによって接着したときの断面図、（ｃ）は仕上げシート１０と保護フィルム１４とを接着剤によって接着したときの断面図である。
【図６】特許文献１に示された技術を示す連続工程図である。
【図７】特許文献２に示された技術を示す部分断面図である。
【発明を実施するための形態】
【００４０】
以上のように構成した各請求項に係る発明を、図面に示した実施の形態である仕上げシート１０について説明すると、図４及び図５には、実施形態に係る仕上げシート１０が示してある。この実施形態に係る仕上げシート１０は、上記各請求項に係る発明を実質的に含むものである。
【００４１】
本実施形態に係る仕上げシート１０は、母材シート１１、仕上げ材１２、及びこれらを保護する保護フィルム１４とからなるものであり、工場において連続的に製造されるものである。また、この仕上げシート１０は、図４に示したように、長尺方向に巻かれたものであり、施工現場において順次展開され、かつ、保護フィルム１４が剥がされるものである。
【００４２】
仕上げシート１０を構成している母材シート１１は、主として、ポリエチレンテレフタレート、プロプロピレン等からなる合成樹脂繊維を使用した布、不織布、網状物、あるいはシート状物であり、コンクリート構造物を構築するための生コンクリート３０ａが硬化する際に、この生コンクリート３０ａと一体化され易い材料と構造を有したものとして形成したものである。
【００４３】
布、不織布、網状物、あるいはシート状物である母材シート１１を構成する材料としては、上述したものの他に、不織布の製造で一般的に用いられる合成繊維があり、例えばポリブチレンテレフタレートなどのポリエステル系繊維、ナイロン６、ナイロン６６などのポリアミド系繊維、ポリプロピレン、ポリエチレンなどのポリオレフィン系繊維、ポリアクリロニトリルなどのアクリル系繊維およびポリビニルアルコール系繊維などを挙げることができる。
【００４４】
この母材シート１１については、型枠２０に対する取付余白や、以下に述べる保護フィルム１４の取り付け箇所確保のための、次に述べる仕上げ材１２が存在しない部分１１ａが確保される。また、当該仕上げシート１０については横に繋げて連続させることがあるが、その場合の接続手段として、図４中に示したように、当該母材シート１１側に両面接着テープ１５ｂが取り付けられる。
【００４５】
また、この母材シート１１については、図４の上左側に示した折部分におけるように、当該仕上げシート１０のグランドレベル等の基準位置からの高さ等を示す目印１３が形成される。この目印１３は、複数の水平線と、これらの水平線の位置を示す数字とからなっており、図２に示したような、各仕上げシート１０の位置決めに使用されるものである。
【００４６】
一方、仕上げ材１２としては、上記母材シート１１に塗布または含浸できるものの場合、塗料として一般的に採用されている材料が適用され、シート状物とされるものの場合、上記母材シート１１との接着性と柔軟性がある合成樹脂が採用される。
【００４７】
さらに、保護フィルム１４としては、主として仕上げ材１２表面を保護するものであるから、柔軟性があるポリエチレン等の合成樹脂が採用される。
【００４８】
以上のように構成した仕上げシート１０は、図１〜図３に示したように、型枠２０の内側に固定されるのであるが、この場合、型枠２０が金属製のものであれば、磁石を利用した止め金具が使用され、型枠２０が金属製でなければ、例えば釘打ち等によって行われる。これらの固定作業が行われるのは、母材シート１１の、仕上げ材１２が存在しない部分１１ａが適している。
【符号の説明】
【００４９】
１０    仕上げシート
１１    母材シート
１１ａ  部分
１２    仕上げ材
１３    目印
１４    保護フィルム
１５ａ  両面接着テープ
１５ｂ  両面接着テープ
２０    型枠
３０    コンクリート構造物
３０ａ  生コンクリート
【図１】
2014200986.tif 000003
【図２】
2014200986.tif 000004
【図３】
2014200986.tif 000005
【図４】
2014200986.tif 000006
【図５】
2014200986.tif 000007
【図６】
2014200986.tif 000008
【図７】
2014200986.tif 000009